(57)【要約】【課題】真空二重容器の閉塞端面をカバーする金属製のカバー部材を前記閉塞端面の外周壁に嵌合にした際、上記カバー部材が真空二重容器から抜けることが防止される真空二重容器の閉塞端カバー構造を提供することである。【解決手段】真空二重容器から構成された保温蓋３の閉塞端面の外周壁１５に周方向の突条２０を設け、閉塞端面をカバーする金属製のカバー部材１６を前記突条越しに前記外周壁１５に強制嵌合させることにより、前記カバー部材１６の周壁１９を隆起させ、かつ、前記突条２０を超えた部分を内方へ変形させた構成とした。【選択図】図１
2005334062.tif 000002
【特許請求の範囲】
【請求項１】
真空二重容器の閉塞端面をカバーする金属製のカバー部材を前記閉塞端面の外周壁に嵌合した、真空二重容器の閉塞端カバー構造において、前記閉塞端面の外周壁に周方向の突条を設け、前記カバー部材を前記突条越しに前記外周壁に強制嵌合させることにより、前記カバー部材の周壁を隆起させ、かつ、前記突条を超えた部分を内方へ変形させたことを特徴とする真空二重容器の閉塞端カバー構造。
【請求項２】
上記突条を、上記外周壁の外径が拡大していく拡径斜面と、この拡径斜面から縮小していく縮径斜面とで形成された稜線状に設けたことを特徴とする請求項１に記載の真空二重容器の閉塞端カバー構造。
【請求項３】
上記外周壁のうち、上記拡径斜面の途中までの部分を、上記カバー部材の周壁よりも小径に設けたことを特徴とする請求項２に記載の真空二重容器の閉塞端カバー構造。
【発明の詳細な説明】
【技術分野】
【０００１】
この発明は、真空二重容器の閉塞端面をカバーする金属製のカバー部材を前記閉塞端面の外周壁に嵌合にした、真空二重容器の閉塞端カバー構造に関する。
【背景技術】
【０００２】
給食サービス等に用いられる食品保温ボックスとして、保温性能の高い真空二重容器により外殻を形成することが従来から行われている。例えば、真空二重容器を使用する場合、通常はこれを一端開放・他端閉塞の円筒形に形成し、その開放端に保温蓋を被せることにより食品保温ボックスの外殻が構成される。そして、内部に収納した飯椀や汁椀等の食品容器の出し入れの便宜上、真空二重容器を横倒し状態で使用できるように真空二重容器の開放端と閉塞端にそれぞれ支持枠を取付け、横倒し状態の真空二重容器を両方の支持枠で支持させ、側方の開放部から引き出し板を出し入れするようにしている（特許文献１）。
【０００３】
【特許文献１】特開２０００−１５２８８２号公報（図１、図２参照）
【０００４】
ところが、この種の食品保温ボックスは、食事を作ることが困難な状況にある老人や病弱者向けの給食用に用いられることが多いが、特許文献１の食品保温ボックスのように引き出し型の場合は、引き出し板上に食品容器を２個載せた状態で出し入れする必要があるために、その際に食品容器が倒れたり内部の食品をこぼしたりする不都合が生じやすく、取扱い性に問題があった。
【０００５】
そこで、出願人は、図４に示すように、ボックス底体４１上に２種類の食品容器４２、４３を収納し、これらに被せた保温蓋４４をボックス底体４１に結合するようにした食品保温ボックス４５を提案している（特願２００３−１６２５８６号参照）。この食品保温ボックス４５では、ボックス底体４１の上面に食品容器４２、４３を上下２段に重ねて収納し、保温蓋４４を２段重ねの食品容器４２、４３を覆う下端開放・上端閉塞の円筒形真空二重容器により形成している。閉塞端面の中央に設けられたチップ管部分を隠蔽するため、保温蓋４４の閉塞端面の外周壁４６には、ステンレス板製のカバー部材４７が取付けられている。このカバー部材４７は、その周壁４８が閉塞端面の外周壁４６よりも小径に設けられており、周壁４８を閉塞端面側から外周壁４６に押入することにより強制的に嵌合されている。
【発明の開示】
【発明が解決しようとする課題】
【０００６】
しかしながら、食品保温ボックス４５は、カバー部材４７に運搬用の把持部４９が固定されており、運搬時にカバー部材４７に様々な荷重が加えられる。ところが、食品保温ボックス４５の閉塞端カバー構造では、カバー部材４７と保温蓋４４を、平面同士で締り嵌め状態としているだけなので、把持部４９を掴んで食品保温ボックス４５を繰り返し運搬するうちに振動や重みによって嵌合に緩みが生じ、想定条件を超えた場合には、カバー部材４７が抜ける恐れがある。
【０００７】
そこで、この発明は、真空二重容器の閉塞端面をカバーする金属製のカバー部材を前記閉塞端面の外周壁に嵌合した際、上記カバー部材が真空二重容器から抜けることが防止される真空二重容器の閉塞端カバー構造を提供することを課題とする。
【課題を解決するための手段】
【０００８】
上記の課題を解決するための手段として、この発明は、真空二重容器の閉塞端面をカバーする金属製のカバー部材を前記閉塞端面の外周壁に嵌合した、真空二重容器の閉塞端カバー構造を、前記閉塞端面の外周壁に周方向の突条を設け、前記カバー部材を前記突条越しに前記外周壁に強制嵌合させることにより、前記カバー部材の周壁を隆起させ、かつ、前記突条を超えた部分を内方へ変形させた構成とした。
【０００９】
上記構成によれば、上記周壁が上記真空二重容器の外周壁に嵌合された状態で、上記周壁の一部が、上記突条で外方に押し出され、隆起された状態となる。この状態では、上記カバー部材がずれ動こうとしても、上記突条を超えた周壁部分が内方へ変形しているので、この部分が上記突条に当って上記カバー部材のずれ動きが阻害され、上記カバー部材が上記真空二重容器から抜けることが防止される。
【発明の効果】
【００１０】
上述のように、この発明は、真空二重容器の閉塞端面をカバーする金属製のカバー部材を前記閉塞端面の外周壁に嵌合した際、上記カバー部材が真空二重容器から抜けることが防止される真空二重容器の閉塞端カバー構造を提供することができる。
【発明を実施するための最良の形態】
【００１１】
以下、この発明の最良の実施形態を添付図面に基づいて説明する。図１及び図２に示すように、食品保温ボックスは、ボックス底体１とその上に被せられ、該ボックス底体１の外周面の段部２で支持される保温蓋３とを備える。
【００１２】
ボックス底体１は、底本体４の内部に発泡樹脂等の断熱材５を充填し、その下面を底板６で閉塞したものである。底本体４の上面には半球形の凹部７が形成され、外周面に前記の段部２が形成される。外周面の対称位置の２箇所に止め金具８、８が取付けられる。
【００１３】
保温蓋３は、下端開放・上端閉塞の円筒形に形成された真空二重容器により構成され、下端開口部の外周面に環状部材９が強制嵌合により一体化される。その環状部材９の外周面の対称位置に設けられた突起１０、１０に対し、前記の止め金具８、８が係合され、ボックス底体１と保温蓋３とが着脱自在に連結される。また、保温蓋３の上端面中央部には内方に窪んだ凹入部１１が形成され、その中央部に真空排気に使用したチップ管１２の切断端部が存在し、チップ管カバー１３により覆われている。そのチップ管カバー１３の内部にはシリコンシーラント等のシール材１４が充填される。保温蓋３の閉塞端面の外周を構成する外周壁１５には、保温蓋３の閉塞端面に被さるカバー部材１６が、シリコンシーラント等のシール材を介在して嵌合されている。このカバー部材１６によりチップ管カバー１３は隠蔽される。カバー部材１６の上面に下向き円弧状の取手１７が固着される。なお、前記の底板６には取手１７が嵌合可能な円形凹部１８が設けられ、積み重ねた際の相互に嵌合できるようになっている。
【００１４】
保温蓋３を構成する真空二重容器の具体的な閉塞端カバー構造を述べる。
図３（ａ）、（ｂ）に示すように、カバー部材１６は、全体がステンレスなどの金属板から形成され、外周壁１５に閉塞端面側から嵌合される周壁１９が設けられている。一方、閉塞端面の外周壁１５には、その全周に亘って、外周壁１５を屈曲させて形成された稜線状の突条２０が設けられており、この突条２０を超えるように周壁１９が強制嵌合される。突条２０は、外周壁１５の外径が嵌合方向に進むにつれて拡大していく拡径斜面２０ａと、この拡径斜面２０ａから縮小していく縮径斜面２０ｂとで形成されている。ここで、拡径斜面２０ａは、周壁１９に対する内方への傾斜角が４５度未満となるように設けるとよい。これにより、カバー部材１６を閉塞端面側から保温蓋３の外周壁１５に嵌合させる際、周壁１９が拡径斜面上を滑り易くなり、カバー部材１６を強制嵌合することが容易になる。
【００１５】
また、突条２０の稜線２１における外径は、周壁１９の内径よりも大径とされている。カバー部材１６の周壁１９は、稜線２１を超えるまで強制嵌合されると、突条２０で内周面側から外方へ隆起され、稜線２１との当接部を境に突条２０を超えた部分が内方へ変形される。
【００１６】
上記の閉塞端カバー構造においては、突条２０は、カバー部材１６を強制嵌合させる際、周壁１９により内方へ押圧されることになる。そこで、この実施形態では、突条２０を外方へ押し返す構造が設けられている。具体的には、保温蓋３の閉塞端面に、外周壁１５に沿うＵ字形凹部２２が設けられ、このＵ字形凹部２２の外側立壁部２３には、突条２０の拡径斜面側の裾２４が設けられている。この構造によれば、外側立壁部２３が内外方向のバネ性を有するので、突条２０が内方へ押圧されても、突条２０が裾２４を介して外側立壁部２３により外方へ押し返される。これにより、突条２０は、カバー部材１６の周壁１９を安定して押し出すようになり、カバー部材１６が保温蓋３からより抜け難くなる。
【００１７】
また、上記の閉塞端カバー構造においては、閉塞端面の外周壁１５のうち、拡径斜面２０ａの途中までの部分が、周壁１９よりも小径に設けられている。これにより、カバー部材１６を閉塞端面側の外周から稜線２１へ勢いよく嵌めることが可能になり、突条２０への強制嵌合が容易になる。
【図面の簡単な説明】
【００１８】
【図１】実施形態に係る真空二重容器の閉塞端カバー構造の縦断正面図。
【図２】同上の分解斜視図。
【図３】（ａ）同上の一部を示す分解断面図。（ｂ）（ａ）図の嵌合状態の部分拡大断面図。
【図４】従来例の縦断正面図。
【符号の説明】
【００１９】
１  ボックス底体
２  段部
３  保温蓋
４  底本体
５  断熱材
６  底板
７  凹部
８  止め金具
９  環状部材
１０  突起
１１  凹入部
１２  チップ管
１３  チップ管カバー
１４  シール材
１５  外周壁
１６  カバー部材
１７  取手
１８  円形凹部
１９  周壁
２０  突条
２０ａ  拡径斜面
２０ｂ  縮径斜面
２１  稜線
２２  Ｕ字形凹部
２３  外側立壁部
２４  裾
【図１】
2005334062.tif 000003
【図２】
2005334062.tif 000004
【図３】
2005334062.tif 000005
【図４】
2005334062.tif 000006